(57)【要約】      （修正有） 【課題】その存在場所を確かなものとし、多くのことをメモできる新規なＢ３版以上の大型メモ帳を提供するものである。【解決手段】テーブル、机の上に載置して用いる大型メモ帳であって、Ｂ３版以上の大型の紙片１を多数重ねて構成し、それぞれの紙片１の一辺２を接着し、一枚づつ剥がせるようにしてあることを特徴とする。これにより、メモ帳を探すことなく、即座に多くのメモを記録することができる。【選択図】図１
0003150426.tif 000002
【実用新案登録請求の範囲】
【請求項１】
テーブル、机の上に載置して用いる大型メモ帳であって、大型の紙片を多数重ねて構成し、それぞれの紙片の一辺を接着し、一枚づつ剥がせるようにしてあることを特徴とする大型メモ帳。
【請求項２】
上記大型の紙片と同じ大きさの少し厚みのある台紙上に大型の紙片を多数重ねて構成してある上記請求項１に記載の大型メモ帳。
【請求項３】
上記大型の紙片がＢ３又はＡ２の大きさである上記請求項１または２に記載の大型メモ帳。
【請求項４】
それぞれの紙片にカレンダーが印刷してある上記請求項１乃至３の何れかに記載の大型メモ帳。
【請求項５】
それぞれの紙片に社名、電話番号、ファックス番号及びタイトル欄又は要約欄が印刷してある上記請求項１乃至４の何れかに記載の大型メモ帳。
【請求項６】
それぞれの紙片に世界地図、日本地図、風景、生物写真、宣伝広告、罫線等の図柄が薄く印刷してある上記請求項１乃至５の何れかに記載の大型メモ帳。
【考案の詳細な説明】
【技術分野】
【０００１】
本考案は、電話のメモ、打合わせのメモ、種々の記録用のメモを記録する大型メモ帳に関する。
【背景技術】
【０００２】
メモを記録するメモ帳は公知である。しかし、一般的なメモ帳は小型である。小型であるため、メモ帳自体の存在が不確かとなり、その存在場所が確定しないし、メモした記録も一枚だけをメモ帳から剥離すると、その存在も不確かなものとなる。
【考案の概要】
【考案が解決しようとする課題】
【０００３】
上記した通リ、通常のメモ帳は、小型であるため、その存在場所が不確かであり、メモを取りたいときにすぐ役立てないという課題がある。また小型であるため、多くのことをメモできないという課題もある。
【課題を解決するための手段】
【０００４】
本考案は、上記課題を解決するため、その存在場所を確かなものとし、多くのことをメモできる新規な大型メモ帳を提供するものである。
そのために、本考案大型メモ帳は、テーブル、机の上に載置して用いる大型メモ帳であって、大型の紙片を多数重ねて構成し、それぞれの紙片の一辺を接着し、一枚づつ剥がせるようにしてあることを特徴とする。
【０００５】
上記大型の紙片と同じ大きさの少し厚みのある台紙上に大型の紙片を多数重ねて構成してある。
上記大型の紙片がＢ３又はＡ２の大きさであるとよい。
それぞれの紙片にカレンダーが印刷してある。
それぞれの紙片に社名、電話番号、ファックス番号及びタイトル欄又は要約欄が印刷してある。
それぞれの紙片に世界地図、日本地図、風景、生物写真、宣伝広告、罫線等の図柄が薄く印刷してある。
【考案の効果】
【０００６】
本考案の大型メモ帳は、テーブル、机の上に載置して用いる大型メモ帳であって、大型の紙片を多数重ねて構成し、それぞれの紙片の一辺を接着し、一枚づつ剥がせるようにしてあることを特徴とするから、常にテーブル、机の上に載置して使用しその存在場所が確定しており、メモ帳を探すことなく、即座にメモを記入することができる。また、大型であるから、多くのメモを記録することができる。
さらに、本考案大型メモ帳はマウスパッドとしての機能があり、同様に下敷きとしての機能もある。
また、カレンダーを印刷し、社名を印刷してあることによって、年末の名入れカレンダーとしての宣伝効果のある商品として使用できる。
【図面の簡単な説明】
【０００７】
【図１】本考案の大型メモ帳の斜視図である。
【図２】同じく平面図である。
【図３】多くのメモを書く場所がなくなったら最上の紙片を剥離する状態の斜視図である。
【考案を実施するための形態】
【０００８】
以下、本考案の実施の形態について、詳細に説明する。
本考案の大型メモ帳は、Ｂ３またはＡ２の大型の紙片１を多数重ねて構成してあり、それぞれの紙片１の一辺２を糊付けにより接着してあり、一枚づつを容易に剥離できるようにしてある。
上記大型の紙片１を多数重ねて構成する本考案大型メモ帳は、紙片１と同じ大きさの少し厚みのある台紙６上に重ねてある。
夫々の紙片１には、カレンダー３が印刷してある。このカレンダー３は一年分の外、次の年の１月、２月が印刷してあり、近々の予定又は先の予定もこのメモ帳を見ることにより、定めることができる。
また、それぞれの紙片１には社名、電話番号、ＦＡＸ番号４及びタイトル欄又は要約欄７が印刷してあり、宣伝効果をもつことができると共に、タイトル欄又は要約欄７には、その紙片１にメモした要件のタイトル又は要約を記入できる。さらに、それぞれの紙片１には、世界地図又は日本地図５が薄く印刷してある。
【０００９】
本考案の大型メモ帳は、テーブル、机の上に載置してあり、メモを取る必要が生じたときには、メモ帳を探すことなく、即座に記録することができる。また、大型メモ帳であるから、多くのことを記録することができ、最上面の紙片１に書き込めなくなれば、最上面の紙片１を剥離して次の新しい紙片１を最上面とすればよい。
【符号の説明】
【００１０】
１    紙片
２    一辺
３    カレンダー
４    社名、電話番号、ＦＡＸ番号
５    地図
６    台紙
７    要約欄
【図１】
0003150426.tif 000003
【図２】
0003150426.tif 000004
【図３】
0003150426.tif 000005
【手続補正書】
【提出日】平成21年3月9日(2009.3.9)
【手続補正１】
【補正対象書類名】明細書
【補正対象項目名】全文
【補正方法】変更
【補正の内容】
【考案の詳細な説明】
【技術分野】
【０００１】  本考案は、電話のメモ、打合わせのメモ、種々の記録用のメモを記録するＢ３版以上の大型メモ帳に関する。
【背景技術】
【０００２】  メモを記録するメモ帳は公知である。しかし、一般的なメモ帳は小型である。小型であるため、メモ帳自体の存在が不確かとなり、その存在場所が確定しないし、メモした記録も一枚だけをメモ帳から剥離すると、その存在も不確かなものとなる。
【考案の概要】
【考案が解決しようとする課題】
【０００３】  上記した通リ、通常のメモ帳は、小型であるため、その存在場所が不確かであり、メモを取りたいときにすぐ役立てないという課題がある。また小型であるため、多くのことをメモできないという課題もある。
【課題を解決するための手段】
【０００４】  本考案は、上記課題を解決するため、その存在場所を確かなものとし、多くのことをメモできる新規なＢ３版以上の大型メモ帳を提供するものである。  そのために、本考案大型メモ帳は、テーブル、机の上に載置して用いる大型メモ帳であって、Ｂ３版以上の大型の同じ大きさの紙片を多数重ねて構成し、それぞれの紙片の一辺を接着し、一枚づつ剥がせるようにしてあることを特徴とする。【０００５】  上記Ｂ３版以上の大型の紙片と同じ大きさの少し厚みのある台紙上に大型の紙片を多数重ねて構成してある。  上記大型の紙片がＢ３版乃至Ｂ２版の大きさであるとよい。  それぞれの紙片にカレンダーが印刷してある。  それぞれの紙片に社名、電話番号、ファックス番号及びタイトル欄又は要約欄が印刷してある。  それぞれの紙片に世界地図、日本地図、風景、生物写真、宣伝広告、罫線等の図柄が薄く印刷してある。
【考案の効果】
【０００６】  本考案のＢ３版以上の大型メモ帳は、テーブル、机の上に載置して用いる大型メモ帳であって、Ｂ３版以上の大型の紙片を多数重ねて構成し、それぞれの紙片の一辺を接着し、一枚づつ剥がせるようにしてあることを特徴とするから、常にテーブル、机の上に載置して使用しその存在場所が確定しており、メモ帳を探すことなく、即座にメモを記入することができる。また、Ｂ３版以上の大型であるから、多くのメモを記録することができる。  さらに、本考案Ｂ３版以上の大型メモ帳はマウスパッドとしての機能があり、同様に下敷きとしての機能もある。  また、カレンダーを印刷し、社名を印刷してあることによって、年末の名入れカレンダーとしての宣伝効果のある商品として使用できる。
【図面の簡単な説明】
【０００７】
【図１】本考案の大型メモ帳の斜視図である。
【図２】同じく平面図である。
【図３】多くのメモを書く場所がなくなったら最上の紙片を剥離する状態の斜視図である。
【考案を実施するための形態】
【０００８】  以下、本考案の実施の形態について、詳細に説明する。  本考案のＢ３版以上の大型メモ帳は、Ｂ３版（５１５ｍｍ×３６４ｍｍ）乃至Ｂ２版  （５１５ｍｍ×７２８ｍｍ）の大型の紙片１を多数重ねて構成してあり、それぞれの紙片１の一辺２を糊付けにより接着してあり、一枚づつを容易に剥離できるようにしてある。  上記Ｂ３版以上の大型の紙片１を多数重ねて構成する本考案大型メモ帳は、紙片１と同じ大きさの少し厚みのある台紙６上に重ねてある。  夫々の紙片１には、カレンダー３が印刷してある。このカレンダー３は一年分の外、次の年の１月、２月が印刷してあり、近々の予定又は先の予定もこのメモ帳を見ることにより、定めることができる。  また、それぞれの紙片１には社名、電話番号、ＦＡＸ番号４及びタイトル欄又は要約欄７が印刷してあり、宣伝効果をもつことができると共に、タイトル欄又は要約欄７には、その紙片１にメモした要件のタイトル又は要約を記入できる。さらに、それぞれの紙片１には、世界地図又は日本地図５が薄く印刷してある。
【０００９】  本考案のＢ３版以上の大型メモ帳は、テーブル、机の上に載置してあり、メモを取る必要が生じたときには、メモ帳を探すことなく、即座に記録することができる。また、Ｂ３版以上の大型メモ帳であるから、多くのことを記録することができ、最上面の紙片１に書き込めなくなれば、最上面の紙片１を剥離して次の新しい紙片１を最上面とすればよい。
【符号の説明】
【００１０】      １    紙片      ２    一辺      ３    カレンダー      ４    社名、電話番号、ＦＡＸ番号      ５    地図      ６    台紙      ７    要約欄
【手続補正２】
【補正対象書類名】実用新案登録請求の範囲
【補正対象項目名】全文
【補正方法】変更
【補正の内容】
【実用新案登録請求の範囲】
【請求項１】
テーブル、机の上に載置して用いるＢ３版以上の大型メモ帳であって、Ｂ３版以上の大型の同じ大きさの紙片を多数重ねて構成し、それぞれの紙片の一辺を接着し、一枚づつ剥がせるようにしてあることを特徴とする大型メモ帳。
【請求項２】
上記Ｂ３版以上の大型の紙片と同じ大きさの少し厚みのある台紙上に同じ大型の紙片を多数重ねて構成してある上記請求項１に記載の大型メモ帳。
【請求項３】
上記大型の紙片がＢ３版乃至Ｂ２版の大きさである上記請求項１または２に記載の大型メモ帳。
【請求項４】
それぞれの紙片にカレンダーが印刷してある上記請求項１乃至３の何れかに記載の大型メモ帳。
【請求項５】
それぞれの紙片に社名、電話番号、ファックス番号及びタイトル欄又は要約欄が印刷してある上記請求項１乃至４の何れかに記載の大型メモ帳。
【請求項６】
それぞれの紙片に世界地図、日本地図、風景、生物写真、宣伝広告、罫線等の図柄が薄く印刷してある上記請求項１乃至５の何れかに記載の大型メモ帳。